(57)【要約】  インターフェースは、少なくとも１つの端（１１４，１１６，１１８，１２０）を規定するパネル（１００）と、上記パネルの上記少なくとも１つの端（１１４）に沿って配された少なくとも１つの検知器（１０２）と、可変の距離からおよび可変の角度（１５８）で、上記パネル（１００）上に、少なくとも１つの電磁放射のビームを向ける働きをする電磁放射ビーム送信器（１５２）とを備えている。上記パネルは、上記少なくとも１つの検知器による検知のために、該パネルに衝突する上記１つのビームから該パネルの上記１つの端（１１４）へ、電磁放射を伝える働きをしており、上記パネルは、該パネル（１００）の中を通る上記電磁放射が進んだ距離の関数として、上記少なくとも１つの端へ該パネルの中を通る該電磁放射を概ね減衰させる働きをしており、それによって上記少なくとも１つの検知器（１０２）は、上記可変の距離および上記可変の角度を決定するために用いることができる少なくとも１つの出力を提供する。
2007531146.tif 000002
【特許請求の範囲】
【請求項１】
少なくとも１つの端を規定するパネルと、
前記パネルの前記少なくとも１つの端に沿って配された少なくとも１つの検知器と、
可変の距離からおよび可変の角度で、前記パネル上に、少なくとも１つの電磁放射のビームを向ける働きをする電磁放射ビーム送信器とを備えており、
前記パネルは、前記少なくとも１つの検知器による検知のために、該パネルに衝突する前記１つのビームから該パネルの前記少なくとも１つの端へ、電磁放射を伝える働きをしており、前記パネルは、該パネルの中を通る前記電磁放射が進んだ距離の関数として、前記１つの端へ該パネルの中を通る該電磁放射を概ね減衰させる働きをしており、それによって前記少なくとも１つの検知器は、前記可変の距離および前記可変の角度を決定するために用いることができる少なくとも１つの出力を提供する働きをするインターフェース装置。
【請求項２】
前記パネルが、ディスプレイを備えている請求項１に記載のインターフェース装置。
【請求項３】
前記パネルが、携帯電話のディスプレイパネルを備えている請求項１に記載のインターフェース装置。
【請求項４】
前記パネルが、ハンドヘルドコンピュータ機器のディスプレイパネルを備えている請求項１に記載のインターフェース装置。
【請求項５】
前記パネルが、テレビのディスプレイパネルを備えている請求項１に記載のインターフェース装置。
【請求項６】
前記パネルが、入力パッドパネルを備えている請求項１に記載のインターフェース装置。
【請求項７】
前記少なくとも１つの検知器が、検知器の概ね直線配列を備えている請求項１から６の何れか１項に記載のインターフェース装置。
【請求項８】
前記少なくとも１つの検知器が、可視および非可視の少なくとも１つの範囲における所定の周波数で、前記電磁放射を検知することが可能である請求項１から７の何れか１項に記載のインターフェース装置。
【請求項９】
前記電磁放射ビーム送信器が、概ね円錐形のビームを提供する働きをする請求項１から８の何れか１項に記載のインターフェース装置。
【請求項１０】
前記電磁放射ビーム送信器が、多数のビームを提供する働きをする請求項１から９の何れか１項に記載のインターフェース装置。
【請求項１１】
前記電磁放射ビーム送信器が、少なくとも１つの概ね平行なビームを提供する働きをする請求項１から８および１０の何れか１項に記載のインターフェース装置。
【請求項１２】
前記電磁放射ビーム送信器が、概ね非対称な断面を有する少なくとも１つのビームを提供する働きをする請求項１から８および１０の何れか１項に記載のインターフェース装置。
【請求項１３】
前記電磁放射ビーム送信器が、概ねピラミッドの形状を有する少なくとも１つのビームを提供する働きをする請求項１から８および１０の何れか１項に記載のインターフェース装置。
【請求項１４】
前記電磁放射ビーム送信器が、概ね多角形の断面を有する少なくとも１つのビームを提供する働きをする請求項１から８および１０の何れか１項に記載のインターフェース装置。
【請求項１５】
前記電磁放射ビーム送信器が、変調したビームを提供する働きをする請求項１から１４の何れか１項に記載のインターフェース装置。
【請求項１６】
前記電磁放射ビーム送信器が、可視光のビームを提供する働きをする請求項１から１５の何れか１項に記載のインターフェース装置。
【請求項１７】
前記電磁放射ビーム送信器が、非可視の電磁放射のビームを提供する働きをする請求項１から１５の何れか１項に記載のインターフェース装置。
【請求項１８】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも１つの出力表示を提供する働きをする検知器出力処理回路を備えている請求項１から１７の何れか１項に記載のインターフェース装置。
【請求項１９】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも２つの出力表示を提供する働きをする検知器出力処理回路を備えている請求項１から１８の何れか１項に記載のインターフェース装置。
【請求項２０】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも３つの出力表示を提供する働きをする検知器出力処理回路を備えている請求項１から１９の何れか１項に記載のインターフェース装置。
【請求項２１】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の出力表示を提供する働きをする検知器出力処理回路を備えている請求項１から２０の何れか１項に記載のインターフェース装置。
【請求項２２】
また、前記少なくとも１つの検知器の少なくとも１つの出力を受け取り、且つ前記電磁放射ビーム送信器の位置および角度方向の少なくとも１つの出力表示を提供する働きをする検知器出力処理回路を備えている請求項１から２１の何れか１項に記載のインターフェース装置。
【請求項２３】
また、前記少なくとも１つの検知器の少なくとも１つの出力を受け取り、且つ前記電磁放射ビーム送信器の位置および角度方向の出力表示を提供する働きをする検知器出力処理回路を備えている請求項１から２２の何れか１項に記載のインターフェース装置。
【請求項２４】
また、前記少なくとも１つの検知器の少なくとも１つの出力を受け取り、且つ前記電磁放射ビーム送信器の位置および角度方向の少なくとも１つの出力表示を提供する働きをする検知器出力処理回路を備えており、前記位置が、前記パネルの面と、前記電磁放射ビーム送信器のビーム起点が位置付けられている、前記パネルと平行な面、との間の該パネルの面と垂直な線に沿ったＺ−距離として定められている請求項１から２３の何れか１項に記載のインターフェース装置。
【請求項２５】
また、前記少なくとも１つの検知器の少なくとも１つの出力を受け取り、且つ前記電磁放射ビーム送信器の位置および角度方向の少なくとも１つの出力表示を提供する働きをする検知器出力処理回路を備えており、前記位置が、前記電磁放射ビーム送信器のビーム起点と、前記パネル上の前記ビームの衝突位置の中心との間のポイント・トウ・ポイント距離として定められている請求項１から２４の何れか１項に記載のインターフェース装置。
【請求項２６】
また、前記少なくとも１つの検知器の少なくとも１つの出力を受け取り、且つ前記電磁放射ビーム送信器の軌跡の出力表示を提供する働きをする検知器出力処理回路を備えている請求項１から２５の何れか１項に記載のインターフェース装置。
【請求項２７】
前記パネル上の前記ビームの衝突が、概ね楕円形の衝突スポットを備えている請求項１から２６の何れか１項に記載のインターフェース装置。
【請求項２８】
また、前記楕円形の衝突スポットの長軸と短軸との比を決定し、それによって前記ビームと前記パネルとの間の交差の角度を決定する働きをする解析回路を備えている請求項２７に記載のインターフェース装置。
【請求項２９】
前記パネル上の前記ビームの衝突により定められた衝突スポット上の異なる位置での前記電磁放射の強度における検知された変化を用いて、それによって前記ビームと前記パネルとの間の交差の角度の決定を支援する働きをする解析回路を備えている請求項１から２８の何れか１項に記載のインターフェース装置。
【請求項３０】
少なくとも１つの端を規定するパネルと、該パネルの前記少なくとも１つの端に沿って配された少なくとも１つの検知器と、可変の距離からおよび可変の角度で、前記パネル上に、少なくとも１つの電磁放射のビームを向ける働きをする電磁放射ビーム送信器を提供することと、
前記電磁放射ビーム送信器から前記パネル上に、前記電磁放射のビームを向け、それによって少なくとも１つの衝突スポットを生成することと、
前記少なくとも１つの衝突スポットから、前記パネルの前記少なくとも１つの端へ、電磁放射を伝えるために該パネルを用いることであって、該パネルは、該パネルの中を通る前記電磁放射が進んだ距離の関数として、前記少なくとも１つの端へ該パネルの中を通る該電磁放射を概ね減衰させる働きをすることと、
前記少なくとも１つの検知器により、前記少なくとも１つの端へ前記パネルにより伝えられる前記電磁放射を検知することと、
前記可変の距離および前記可変の角度を決定するために、前記少なくとも１つの検知器の出力を用いることを備えているインターフェース方法。
【請求項３１】
前記パネルを提供することが、ディスプレイを提供することを含んでいる請求項３０に記載のインターフェース方法。
【請求項３２】
前記パネルを提供することが、携帯電話のディスプレイパネルを提供することを含んでいる請求項３０に記載のインターフェース方法。
【請求項３３】
前記パネルを提供することが、ハンドヘルドコンピュータ機器のディスプレイパネルを提供することを含んでいる請求項３０に記載のインターフェース方法。
【請求項３４】
前記パネルを提供することが、テレビのディスプレイパネルを提供することを含んでいる請求項３０に記載のインターフェース方法。
【請求項３５】
前記パネルを提供することが、入力パッドパネルを提供することを含んでいる請求項３０に記載のインターフェース方法。
【請求項３６】
前記少なくとも１つの検知器を提供することが、概ね直線配列の検知器を提供することを含んでいる請求項３０から３５の何れか１項に記載のインターフェース方法。
【請求項３７】
前記少なくとも１つの検知器により前記検知することが、可視および非可視の少なくとも１つの範囲における所定の周波数で、電磁放射を検知することを含んでいる請求項３０から３６の何れか１項に記載のインターフェース方法。
【請求項３８】
前記電磁放射ビーム送信器を提供することが、概ね円錐形のビームを提供する働きをする電磁放射ビーム送信器を提供することを含んでいる請求項３０から３７の何れか１項に記載のインターフェース方法。
【請求項３９】
前記電磁放射ビーム送信器を提供することが、多数のビームを提供する働きをする電磁放射ビーム送信器を提供することを含んでいる請求項３０から３８の何れか１項に記載のインターフェース方法。
【請求項４０】
前記電磁放射ビーム送信器を提供することが、少なくとも１つの概ね平行なビームを提供する働きをする電磁放射ビーム送信器を提供することを含んでいる請求項３０から３７および３９の何れか１項に記載のインターフェース方法。
【請求項４１】
前記電磁放射ビーム送信器を提供することが、概ね非対称な断面を有する少なくとも１つのビームを提供する働きをする電磁放射ビーム送信器を提供することを含んでいる請求項３０から３７および３９の何れか１項に記載のインターフェース方法。
【請求項４２】
前記電磁放射ビーム送信器を提供することが、概ねピラミッドの形状を有する少なくとも１つのビームを提供する働きをする電磁放射ビーム送信器を提供することを含んでいる請求項３０から３７および３９の何れか１項に記載のインターフェース方法。
【請求項４３】
前記電磁放射ビーム送信器を提供することが、概ね多角形の断面を有する少なくとも１つのビームを提供する働きをする電磁放射ビーム送信器を提供することを含んでいる請求項３０から３７および３９の何れか１項に記載のインターフェース方法。
【請求項４４】
前記電磁放射ビーム送信器を提供することが、変調したビームを提供する働きをする電磁放射ビーム送信器を提供することを含んでいる請求項３０から４３の何れか１項に記載のインターフェース方法。
【請求項４５】
前記電磁放射ビーム送信器を提供することが、可視光のビームを提供する働きをする電磁放射ビーム送信器を提供することを含んでいる請求項３０から４４の何れか１項に記載のインターフェース方法。
【請求項４６】
前記電磁放射ビーム送信器を提供することが、非可視の電磁放射のビームを提供する働きをする電磁放射ビーム送信器を提供することを含んでいる請求項３０から４４の何れか１項に記載のインターフェース方法。
【請求項４７】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも１つの出力表示を提供する働きをする検知器出力処理回路を提供することを備えている請求項３０から４６の何れか１項に記載のインターフェース方法。
【請求項４８】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも２つの出力表示を提供する働きをする検知器出力処理回路を提供することを備えている請求項３０から４７の何れか１項に記載のインターフェース方法。
【請求項４９】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の少なくとも３つの出力表示を提供する働きをする検知器出力処理回路を提供することを備えている請求項３０から４８の何れか１項に記載のインターフェース方法。
【請求項５０】
また、前記少なくとも１つの検知器の少なくとも１つの出力を受け取り、且つ前記パネル上における前記少なくとも１つの電磁放射ビームの衝突により定められる少なくとも１つの衝突スポットにおける位置、方向、形状および寸法の出力表示を提供する働きをする検知器出力処理回路を提供することを備えている請求項３０から４９の何れか１項に記載のインターフェース方法。
【請求項５１】
また、前記少なくとも１つの検知器の少なくとも１つの出力を受け取り、且つ前記電磁放射ビーム送信器の位置および角度方向の少なくとも１つの出力表示を提供する働きをする検知器出力処理回路を提供することを備えている請求項３０から５０の何れか１項に記載のインターフェース方法。
【請求項５２】
また、前記少なくとも１つの検知器の少なくとも１つの出力を受け取り、且つ前記電磁放射ビーム送信器の位置および角度方向の出力表示を提供する働きをする検知器出力処理回路を提供することを備えている請求項３０から５１の何れか１項に記載のインターフェース方法。
【請求項５３】
また、前記少なくとも１つの検知器の少なくとも１つの出力を受け取り、且つ前記電磁放射ビーム送信器の位置および角度方向の少なくとも１つの出力表示を提供する働きをする検知器出力処理回路を提供することを備えており、前記位置が、前記パネルの面と、前記電磁放射ビーム送信器のビーム起点が位置付けられている、前記パネルと平行な面、との間の該パネルの面と垂直な線に沿ったＺ−距離として定められている請求項３０から５２の何れか１項に記載のインターフェース方法。
【請求項５４】
また、前記少なくとも１つの検知器の少なくとも１つの出力を受け取り、且つ前記電磁放射ビーム送信器の位置および角度方向の少なくとも１つの出力表示を提供する働きをする検知器出力処理回路を提供することを備えており、前記位置が、前記電磁放射ビーム送信器のビーム起点と、前記パネル上の前記ビームの衝突位置の中心との間のポイント・トウ・ポイント距離として定められている請求項３０から５３の何れか１項に記載のインターフェース方法。
【請求項５５】
また、前記少なくとも１つの検知器の少なくとも１つの出力を受け取り、且つ前記電磁放射ビーム送信器の軌跡の出力表示を提供する働きをする検知器出力処理回路を提供することを備えている請求項３０から５４の何れか１項に記載のインターフェース方法。
【請求項５６】
また、前記パネル上の前記ビームの衝突による概ね楕円形の衝突スポットを提供することを備えている請求項３０から５５の何れか１項に記載のインターフェース方法。
【請求項５７】
また、前記楕円形の衝突スポットの長軸と短軸との比を決定する働きをする解析回路を提供することと、
前記ビームと前記パネルとの間の交差の角度を決定するために、前記解析回路を用いることを備えている請求項５６に記載のインターフェース方法。
【請求項５８】
また、前記パネル上の前記ビームの衝突により定められた衝突スポット上の異なる位置での、前記電磁放射の強度における検知された変化を用いる働きをする解析回路を提供することと、
前記ビームと前記パネルとの間の交差の角度の決定を支援するために、前記解析回路を用いることを備えている請求項３０から５７の何れか１項に記載のインターフェース方法。
【発明の詳細な説明】
【技術分野】
【０００１】
本出願は、「制御装置」と題されて２００４年４月１日に出願された英国特許出願第０４０７４５３Ａ０号明細書から、米国法典第３５巻第１１９条（ａ）による協定上の優先権が主張される。本出願は、また２００４年１２月６日に出願されており、同時係属の米国特許出願第１１／００６４８６号明細書に関係する。上述した２つの特許出願の開示は、参照することにより本明細書に取り込まれる。
【０００２】
本発明は、全体にインターフェースに関し、特に移動体コミュニケータ、テレビおよびパーソナルコンピュータ等のコンピュータ制御の装置のためおよび該装置と共に用いるための、ユーザインターフェース、制御装置および制御方法に関する。
【背景技術】
【０００３】
以下の公開された特許文書は、現在の最新の技術を表すものと信じられており、参照することにより本明細書に取り込まれる。
【０００４】
【特許文献１】英国特許第２２９９８５６号明細書
【特許文献２】英国特許第２２８９７５６号明細書
【特許文献３】欧州特許第０５７２１８２号明細書
【特許文献４】国際公開第０２／０４３０４５号パンフレット
【特許文献５】国際公開第９５／０２８０１号パンフレット
【特許文献６】米国特許第６０９４１８８号明細書
【特許文献７】米国特許第６０８１２５５号明細書
【特許文献８】米国特許第５９２６１６８号明細書
【特許文献９】米国特許第５８９２５０１号明細書
【特許文献１０】米国特許第５４４８２６１号明細書
【特許文献１１】米国特許第５２２７９８５号明細書
【特許文献１２】米国特許第５９４９４０２号明細書
【特許文献１３】米国特許第５９５９６１７号明細書
【特許文献１４】米国特許第５１２２６５６号明細書
【特許文献１５】米国特許第５５０６６０５号明細書
【特許文献１６】米国特許第４３２０２９２号明細書
【発明の開示】
【０００５】
本発明は、移動体コミュニケータ、テレビおよびパーソナルコンピュータ等のコンピュータ制御の装置のためおよび該装置と共に用いるための、改良された制御装置および制御方法を提供しようとするものである。
【０００６】
従って、本発明の好ましい実施形態によれば、少なくとも１つの端を規定するパネルと、上記パネルの上記少なくとも１つの端に沿って配された少なくとも１つの検知器と、可変の距離からおよび可変の角度で、上記パネル上に、少なくとも１つの電磁放射のビームを向ける働きをする電磁放射ビーム送信器とを備えており、上記パネルは、上記少なくとも１つの検知器による検知のために、該パネルに衝突する上記１つのビームから該パネルの上記少なくとも１つの端へ、電磁放射を伝える働きをしており、上記パネルは、該パネルの中を通る上記電磁放射が進んだ距離の関数として、上記１つの端へ該パネルの中を通る該電磁放射を概ね減衰させる働きをしており、それによって上記少なくとも１つの検知器は、上記可変の距離および上記可変の角度を決定するために用いることができる少なくとも１つの出力を提供する働きをするインターフェース装置が提供される。
【０００７】
本発明の好ましい実施形態によれば、上記パネルは、ディスプレイを備えている。好ましくは、上記パネルは、携帯電話のディスプレイパネルを備えている。代わりに、上記パネルは、ハンドヘルドコンピュータ機器のディスプレイパネルを備えている。また代わりに、上記パネルは、テレビのディスプレイパネルを備えている。更に代わりに、上記パネルは、入力パッドパネルを備えている。
【０００８】
本発明の他の好ましい実施形態によれば、上記少なくとも１つの検知器が、検知器の概ね直線配列を備えている。好ましくは、上記少なくとも１つの検知器が、可視および非可視の少なくとも１つの範囲における所定の周波数で、上記電磁放射を検知することが可能である。
【０００９】
本発明の他の好ましい実施形態によれば、上記電磁放射ビーム送信器が、概ね円錐形のビームを提供する働きをする。代わりにまたは追加して、上記電磁放射ビーム送信器が、多数のビームを提供する働きをする。好ましくは、上記電磁放射ビーム送信器が、少なくとも１つの概ね平行なビームを提供する働きをする。代わりに、上記電磁放射ビーム送信器が、概ね非対称な断面を有する少なくとも１つのビームを提供する働きをする。また代わりに、上記電磁放射ビーム送信器が、概ねピラミッドの形状を有する少なくとも１つのビームを提供する働きをする。更に代わりに、上記電磁放射ビーム送信器が、概ね多角形の断面を有する少なくとも１つのビームを提供する働きをする。
【００１０】
本発明の他の好ましい実施形態によれば、上記電磁放射ビーム送信器が、変調したビームを提供する働きをする。好ましくは、上記電磁放射ビーム送信器が、可視光のビームを提供する働きをする。代わりに、上記電磁放射ビーム送信器が、非可視の電磁放射のビームを提供する働きをする。
【００１１】
本発明の他の好ましい実施形態によれば、上記インターフェース装置は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の少なくとも１つの出力表示を提供する働きをする検知器出力処理回路を備えている。上記インターフェース装置は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の少なくとも２つの出力表示を提供する働きをする検知器出力処理回路を備えていることが好ましい。
【００１２】
本発明の他の好ましい実施形態によれば、上記インターフェース装置は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の少なくとも３つの出力表示を提供する働きをする検知器出力処理回路を備えている。好ましくは、上記インターフェース装置は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の出力表示を提供する働きをする検知器出力処理回路を備えている。
【００１３】
本発明の他の好ましい実施形態によれば、上記インターフェース装置は、また、上記少なくとも１つの検知器の少なくとも１つの出力を受け取り、且つ上記電磁放射ビーム送信器の位置および角度方向の少なくとも１つの出力表示を提供する働きをする検知器出力処理回路を備えている。上記インターフェース装置は、また、上記少なくとも１つの検知器の少なくとも１つの出力を受け取り、且つ上記電磁放射ビーム送信器の位置および角度方向の出力表示を提供する働きをする検知器出力処理回路を備えている。
【００１４】
本発明の他の好ましい実施形態によれば、上記インターフェース装置は、また、上記少なくとも１つの検知器の少なくとも１つの出力を受け取り、且つ上記電磁放射ビーム送信器の位置および角度方向の少なくとも１つの出力表示を提供する働きをする検知器出力処理回路を備えており、上記位置が、上記パネルの面と、上記電磁放射ビーム送信器のビーム起点が位置付けられている、上記パネルと平行な面、との間の該パネルの面に垂直な線に沿ったＺ−距離として定められている。好ましくは、上記インターフェース装置は、また、上記少なくとも１つの検知器の少なくとも１つの出力を受け取り、且つ上記電磁放射ビーム送信器の位置および角度方向の少なくとも１つの出力表示を提供する働きをする検知器出力処理回路を備えており、上記位置が、上記電磁放射ビーム送信器のビーム起点と、上記パネル上の上記ビームの衝突位置の中心との間のポイント・トウ・ポイント距離として定められている。
【００１５】
本発明の他の好ましい実施形態によれば、上記インターフェース装置は、また、上記少なくとも１つの検知器の少なくとも１つの出力を受け取り、且つ上記電磁放射ビーム送信器の軌跡の出力表示を提供する働きをする検知器出力処理回路を備えている。好ましくは、上記パネル上の上記ビームの衝突が、概ね楕円形の衝突スポットを備えている。追加して、上記インターフェース装置は、また、上記楕円形の衝突スポットの長軸と短軸との比を決定し、それによって上記ビームと上記パネルとの間の交差の角度を決定する働きをする解析回路を備えている。追加してまたは代わりに、上記インターフェース装置は、上記パネル上の上記ビームの衝突により定められた衝突スポット上の異なる位置での上記電磁放射の強度における検知された変化を用いて、それによって上記ビームと上記パネルとの間の交差の角度の決定を支援する働きをする解析回路を備えている。
【００１６】
また、本発明の好ましい他の実施形態によれば、少なくとも１つの端を規定するパネルと、該パネルの上記少なくとも１つの端に沿って配された少なくとも１つの検知器と、可変の距離からおよび可変の角度で、上記パネル上に、少なくとも１つの電磁放射のビームを向ける働きをする電磁放射ビーム送信器を提供することと、上記電磁放射ビーム送信器から上記パネル上に、上記電磁放射のビームを向け、それによって少なくとも１つの衝突スポットを生成することと、上記少なくとも１つの衝突スポットから、上記パネルの上記少なくとも１つの端へ、電磁放射を伝えるために該パネルを用いることであって、該パネルは、該パネルの中を通る上記電磁放射が進んだ距離の関数として、上記少なくとも１つの端へ該パネルの中を通る該電磁放射を概ね減衰させる働きをすることと、上記少なくとも１つの検知器により、上記少なくとも１つの端へ上記パネルにより伝えられる上記電磁放射を検知することと、上記可変の距離および上記可変の角度を決定するために、上記少なくとも１つの検知器の出力を用いることを備えているインターフェース方法が提供される。
【００１７】
本発明の好ましい実施形態によれば、上記パネルを提供することが、ディスプレイを提供することを含んでいる。好ましくは、上記パネルを提供することが、携帯電話のディスプレイパネルを提供することを含んでいる。代わりに、上記パネルを提供することが、ハンドヘルドコンピュータ機器のディスプレイパネルを提供することを含んでいる。また代わりとして、上記パネルを提供することが、テレビのディスプレイパネルを提供することを含んでいる。更に代わりとして、上記パネルを提供することが、入力パッドパネルを提供することを含んでいる。
【００１８】
本発明の他の好ましい実施形態によれば、上記少なくとも１つの検知器を提供することが、概ね直線配列の検知器を提供することを含んでいる。好ましくは、上記少なくとも１つの検知器により上記検知することが、可視および非可視の少なくとも１つの範囲における所定の周波数で、電磁放射を検知することを含んでいる。追加してまたは代わりに、上記電磁放射ビーム送信器を提供することが、概ね円錐形のビームを提供する働きをする電磁放射ビーム送信器を提供することを含んでいる。
【００１９】
本発明の他の好ましい実施形態によれば、上記電磁放射ビーム送信器を提供することが、多数のビームを提供する働きをする電磁放射ビーム送信器を提供することを含んでいる。好ましくは、上記電磁放射ビーム送信器を提供することが、少なくとも１つの概ね平行なビームを提供する働きをする電磁放射ビーム送信器を提供することを含んでいる。代わりに、上記電磁放射ビーム送信器を提供することが、概ね非対称な断面を有する少なくとも１つのビームを提供する働きをする。また代わりに、上記電磁放射ビーム送信器を提供することが、概ねピラミッドの形状を有する少なくとも１つのビームを提供する働きをする電磁放射ビーム送信器を提供することを含んでいる。更に代わりに、上記電磁放射ビーム送信器を提供することが、概ね多角形の断面を有する少なくとも１つのビームを提供する働きをする電磁放射ビーム送信器を提供することを含んでいる。
【００２０】
本発明の他の好ましい実施形態によれば、上記電磁放射ビーム送信器を提供することが、変調したビームを提供する働きをする電磁放射ビーム送信器を提供することを含んでいる。好ましくは、上記電磁放射ビーム送信器を提供することが、可視光のビームを提供する働きをする電磁放射ビーム送信器を提供することを含んでいる。代わりに、上記電磁放射ビーム送信器を提供することが、非可視の電磁放射のビームを提供する働きをする電磁放射ビーム送信器を提供することを含んでいる。
【００２１】
本発明の他の好ましい実施形態によれば、上記インターフェース方法は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の少なくとも１つの出力表示を提供する働きをする検知器出力処理回路を提供することを備えている。好ましくは、上記インターフェース方法は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の少なくとも２つの出力表示を提供する働きをする検知器出力処理回路を提供することを備えている。
【００２２】
本発明の他の好ましい実施形態によれば、上記インターフェース方法は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の少なくとも３つの出力表示を提供する働きをする検知器出力処理回路を提供することを備えている。好ましくは、上記インターフェース方法は、また、上記少なくとも１つの検知器の少なくとも１つの出力を受け取り、且つ上記パネル上における上記少なくとも１つの電磁放射ビームの衝突により定められる少なくとも１つの衝突スポットにおける位置、方向、形状および寸法の出力表示を提供する働きをする検知器出力処理回路を提供することを備えている。追加してまたは代わりに、上記インターフェース方法は、また、上記少なくとも１つの検知器の少なくとも１つの出力を受け取り、且つ上記電磁放射ビーム送信器の位置および角度方向の少なくとも１つの出力表示を提供する働きをする検知器出力処理回路を提供することを備えている。
【００２３】
本発明の他の好ましい実施形態によれば、上記インターフェース方法は、また、上記少なくとも１つの検知器の少なくとも１つの出力を受け取り、且つ上記電磁放射ビーム送信器の位置および角度方向の出力表示を提供する働きをする検知器出力処理回路を提供することを備えている。好ましくは、上記インターフェース方法は、また、上記少なくとも１つの検知器の少なくとも１つの出力を受け取り、且つ上記電磁放射ビーム送信器の位置および角度方向の少なくとも１つの出力表示を提供する働きをする検知器出力処理回路を提供することを備えており、上記位置が、上記パネルの面と、上記電磁放射ビーム送信器のビーム起点が位置付けられている、上記パネルと平行な面、との間の該パネルの面に垂直な線に沿ったＺ−距離として定められている。代わりに、上記インターフェース方法は、また、上記少なくとも１つの検知器の少なくとも１つの出力を受け取り、且つ上記電磁放射ビーム送信器の位置および角度方向の少なくとも１つの出力表示を提供する働きをする検知器出力処理回路を提供することを備えており、上記位置が、上記電磁放射ビーム送信器のビーム起点と、上記パネル上の上記ビームの衝突位置の中心との間のポイント・トウ・ポイント距離として定められている。
【００２４】
本発明の他の好ましい実施形態によれば、上記インターフェース方法は、また、上記少なくとも１つの検知器の少なくとも１つの出力を受け取り、且つ上記電磁放射ビーム送信器の軌跡の出力表示を提供する働きをする検知器出力処理回路を提供することを備えている。好ましくは、上記インターフェース方法は、また、上記パネル上の上記ビームの衝突による概ね楕円形の衝突スポットを提供することを備えている。代わりに、上記インターフェース方法は、また、上記楕円形の衝突スポットの長軸と短軸との比を決定する働きをする解析回路を提供することと、上記ビームと上記パネルとの間の交差の角度を決定するために、上記解析回路を用いることを備えている。追加してまたは代わりに、また、上記パネル上の上記ビームの衝突により定められた衝突スポット上の異なる位置での、上記電磁放射の強度における検知された変化を用いる働きをする解析回路を提供することと、上記ビームと上記パネルとの間の交差の角度の決定を支援するために、上記解析回路を用いることを備えている。
【００２５】
本発明は、図面と一緒に以下の詳述から、より十分に理解されて認識されるだろう。
【発明を実施するための最良の形態】
【００２６】
ワイヤレスの遠隔制御の装置またはデータが特に望まれる多くの状況がある。これらの状況の多くにおいては、装置に関係するディスプレイまたはパネルに対して自由に動く制御機器の空間における位置決めまたは動きに依存した制御が、特に有利である。
【００２７】
３次元の遠隔制御が、例えば重度の障害者の生活の質を向上するために、特に有利である。そのような制御は、特殊なニーズの乗り物、住宅設備およびコンピュータ等を操作するために、重度の運動障害を有する人々により用いられるかもしれない。３次元の遠隔制御は、スイッチ等を操作するために必要とされる圧力もなく、最小限の行動を可能とする。好都合なことに、制御機器は、動きに対して便利な位置に、機器の電磁放射送信部分を装着することを許容して、障害者のニーズに構成されることができる。
【００２８】
３次元の遠隔制御は、また３次元デザインの用途を有する。例えば、センサプレートの形式で、制御パネル上方の中空において、３次元イメージをトレースすることにより、デザイナーが仮想３Ｄデザインを創造することができることは、特に有益である。スタイラス等のワイヤレスで自由に保持される制御機器が統合されたコンピュータデザインシステムは、よりとぎれがなく、直感的であり、芸術的な活動を可能にする。
【００２９】
遠隔制御のデータまたは機器のための改良された制御装置を提供することが、本発明の目的である。
【００３０】
本発明の一態様に従って、画面と、スタイラスのような入力機器と、上記画面に対する該入力機器の位置に関するデータを感知するための感知手段と、該データから上記画面に対する入力機器の位置を決定するための制御手段とを備えており、上記入力機器は、画面上に向けるための電磁放射源を有しており、上記感知手段は、画面上に向けられた電磁放射、および該画面によるかまたは非散乱画面の下の散乱表面により散乱された電磁放射を検知するための検知手段を有しており、上記検知手段は、検知された散乱した電磁放射に依存した検知器出力を生成するように構成されており、上記制御手段は、上記画面に対する電磁放射源の位置を決定するために、上記検知器出力を解析するように構成されている遠隔制御のデータまたは機器のための制御装置が提供される。
【００３１】
電磁放射源は、入射する放射の楕円形の領域を形成するように、画面上に向かう赤外線放射の円錐形のビームを生成するように構成されていることが好ましい。
【００３２】
代わりに、電磁放射源は、画面上に向かう多数のレーザビームを生成するように構成されていても良い。
【００３３】
制御手段は、入射する楕円形の領域における長径または短径の少なくとも１つの長さを測定して、測定された該長さから、電磁放射源と画面との間の距離を計算するために、検知器出力を解析するように構成されていることが好ましい。
【００３４】
制御手段は、電磁放射源により画面上に向けられた電磁放射の角度に関係したパラメータを測定して、測定された該パラメータから、画面に対する電磁放射源の角度を決定するために、検知器出力を解析するように構成されていることが好ましい。
【００３５】
領域に関係したパラメータは、入射する楕円形の領域における長径または短径の少なくとも１つの長さを含むことが好ましい。
【００３６】
電磁放射源は、レーザビームを画面上に向かう多数の成分に分けるように構成して、画面上に向けて多数の対応する入射点を形成することが好ましい。
【００３７】
制御手段は、上記入射点により形成された表面パターンを識別するために、検知器出力を解析するように構成されていることが好ましい。
【００３８】
制御手段は、上記表面パターンから、画面から電磁放射源までの距離を決定するように構成されていても良い。
【００３９】
制御手段は、上記表面パターンから、画面に対する電磁放射源の角度を決定するように構成されていても良い。
【００４０】
検知手段は、画面の少なくとも１つの端に沿って配された多数の検知器を有しており、該検知器それぞれは、検知された散乱した電磁放射の量に依存したアナログ出力を生成するように構成されていることが好ましい。検知手段の受信周波数は、典型的には、送信器の周波数に対応する。
【００４１】
検知手段は、デジタル信号の形式で検知器出力を生成するように構成されており、更に該検知手段は、アナログ出力をデジタル信号に変換する変換器を有していることが好ましい。
【００４２】
本発明の他の態様に従って、入力機器から画面上に電磁放射を向けることと、該画面上に向けられた電磁放射および該画面により散乱された電磁放射を検知することと、検知された散乱した電磁放射に依存した検知器出力を生成することと、上記画面に対する上記入力機器の位置を決定するために、上記検知器出力を解析することを備えた、画面に対する入力機器の位置を決定する方法が提供される。
【００４３】
本発明を具体化する電子機器は、例えば、ハンドヘルドまたはパームトップコンピュータ、携帯情報端末（ＰＤＡ）、ＰＣ画面、または携帯電話のような移動体通信機器がある。電子機器は、代わりに、外科手術装置または電気自動車等の電子装置を制御するための電子制御パネルであっても良い。そのような電子機器それぞれは、データを表示するための画面、または電子装置を制御するための制御オプションを有していることが好ましい。動作において、表示されたデータまたは電子装置は、入力機器を用いて制御される。好ましい実施形態において、入力機器はポインタの形式をとる。この入力機器は、例えば、ペン形状のスタイラス、手袋、帽子のひさし、銃または任意の適切な遠隔ユニットという任意の適切な形式でも良い。ポインタは、画面に表示された様々な選択肢を選ぶことにより、ユーザが電子機器を操作することを可能にする。
【００４４】
上記画面は、例えば商用銘柄のパースペクス等、小さいが有効に散乱する性質を備えた、比較的透明な材料から形成されていることが好ましい。つまり、動作において、ポインタが画面のある領域上に電磁放射のビームを送信した時、画面に入射した電磁放射の大部分は画面を通りぬけるが、電磁放射のいくらかは、画面の端へ向かって散乱される。送信された電磁放射が画面を通りぬける量は、通常該画面の厚さと共に指数関数的に減少する。画面の端へ到着する散乱光は、入射領域から画面の端への距離の増加と共に増加する領域に亘って広がる。入射領域から距離Ｌの端に到着した光は、（ｅｘｐ（-ａＬ））／Ｌに比例する。ａは画面の散乱係数である。テキストにおける対応文を削除する。
【００４５】
ｘ方向およびｙ方向それぞれに、画面の端に沿って配されている多数の検知器が、画面に付随されていることが好ましい。検知器は、散乱した電磁放射を検知し、通常比較的狭い視野、例えば〜８°、を有するように構成されていることが好ましい。それらは、ポインタにより送信されたタイプの電磁放射を検知するための適切な任意の形式であれば良く、例えば従来の光検知器でも良い。
【００４６】
上記ポインタは、例えば、赤外線送信器、レーザ、ＬＥＤまたは他の光送信機器という電磁放射源が備わっている。
【００４７】
一実施形態によれば、ポインタは、円形、球形、または他の形状のチップ（図示せず）から、電磁放射の円錐形のビームを送信する。光は、周囲の光からの干渉を避けるために、変調されていることが好ましい。
【００４８】
動作において、ポインタが画面のある領域上に電磁放射のビームを送信すると、検知器それぞれは、入射ビームから散乱した電磁放射の一部分を検知して、検知された散乱した電磁放射の量に依存した大きさに対応したアナログ出力を生成する。このアナログ出力は、対応するシリアル出力を生成する変換器により受け取られることが好ましい。このシリアル出力は、画面に対する送信器の電磁放射の伝播パターンを決定して、それにより、例えば相対的なＸ，Ｙ，Ｚ位置および／またはポインタの傾斜角度というポインタのパラメータを導くために、信号を解析する機器に入力される。
【００４９】
上記変換器は、任意の適切なタイプであり、アナログーデジタル変換器であっても良い。シリアル出力は、デジタルシリアル信号またはアナログシリアル信号の形式であっても良い。
【００５０】
最大のアナログ出力を有するｘおよびｙ検知器は、それぞれ、通常入射ビーム中央のｘおよびｙの位置に対応する。つまり、動作において、電子機器は、アナログ出力の大きさを測定し、測定された値から、入射ビームのｘおよびｙの位置を決定して、適切に応答する。
【００５１】
動作において、決定された位置の精度は、多数の検知器に対して測定された出力値間の内挿により高められる。各方向において、最大の出力を有する検知器に対して測定された値は、多項式関数を用いて、隣接する検知器に対して測定された値と共に内挿される。上記多項式関数は、下記形式の２次式である。
【００５２】
ｘ方向に対して      Ｖ（ｘ）＝ａｘ２＋ｂｘ＋ｃ
および
ｙ方向に対して      Ｖ（ｙ）＝ａ’ｙ２＋ｂ’ｙ＋ｃ’
【００５３】
ここで、Ｖ（ｘ）およびＶ（ｙ）は、位置ｘおよび位置ｙそれぞれにおける検知器の出力の値である。定数ａ、ａ’、ｂ、ｂ’およびｃ、ｃ’は、測定値へのベストフィットを見つけることにより決定される。内挿されたベストの値は、以下のように近似される。
【００５４】
位置ｘに対して      ｘ＝−ｂ／２ａ
および
位置ｙに対して      ｙ＝−ｂ’／２ａ’
【００５５】
そのような訳で、より正確な位置ｘおよび位置ｙの値が見つけられる。
【００５６】
ここで上述した２次式モデルは、様々なモデルの１つだけであることを認識されたい。
【００５７】
電磁放射が入射する画面の範囲は、画面からのポインタの距離に依存した領域であり、実質的に楕円形である。楕円の離心率は、ビームが画面に突き当たる角度、つまりポインタが保持される角度に依存する。例えば、ゼロの離心率は、入射する電磁放射が円形であり、ポインタが画面の表面に対して垂直に保持されていることを示している。
【００５８】
アナログ出力の相対的な大きさは、長径および短径の楕円軸の長さ、つまり楕円の離心率、を決定するために用いられる。ポインタの角度は、その後従来の数学を用いて計算される。同様に、上述のように定義された放物線のａおよびａ’といったパラメータは、楕円の寸法に反比例しており、画面からＺ方向におけるポインタの垂直な距離を計算するために用いられる。楕円が円である時は、両方の楕円の軸の長さは等しく、円の直径ｄに対応する。
【００５９】
内挿から導かれた定数ａとａ’との比は、また画面に対するポインタの角度の尺度である。つまり、動作において、内挿から導かれた定数もまた、決定される角度の精度を向上するために用いられる。
【００６０】
画面に入射する電磁放射の強度もまた、画面からのポインタの距離に依存する。対応して、検知器により検知される散乱した電磁放射の量、つまりアナログ信号の大きさは、入射する電磁放射の大きさと共に変化する。従って、アナログ信号の大きさの絶対値もまた、画面からのポインタの視線距離を独立に決定するためか、または楕円測定に基づいた計算の結果を精緻化するために用いられる。
【００６１】
画面からのポインタの距離もまた、一般に内挿から導かれた定数ａおよびａ’に反比例する。つまり、動作において、内挿から導かれた定数もまた、決定されるｚの位置の精度を向上するために用いられる。
【００６２】
ポインタの位置および角度もまた、ユーザがポインタと画面との間の物理的な接触を伴うことなく選択を行う時に、決定するために用いられる。例えば、簡単な傾ける動作が、選択を表すために用いることができる。代わりにまたは追加して、光の領域および／または光の強度もまた、非接触な選択を表すために用いられる。そのような選択は、例えば、入射する電磁放射の領域がある最小の閾値を下回ることにより、および／または、強度がある最大の閾値を上回ることにより、示されるかも知れない。
【００６３】
本発明の他の実施形態によれば、ポインタは、レーザ源、３つのビームスプリッタおよびウインドウを備えている。該レーザ源は、例えばレーザダイオード等の任意の適切なタイプであれば良い。
【００６４】
レーザ源は、ポインタ内部に位置しており、軸方向にレーザビームを生成するように構成されていることが好ましい。ビームスプリッタは、平面状で、レーザビームの動作経路に沿って間隔を設けてポインタ内部に配されている半反射鏡であることが好ましい。ビームスプリッタそれぞれは、レーザビームの軸方向に対して、角度α／２で位置付けられている。従って、動作において、各ビームスプリッタは、レーザビームを、方向において変化することなくスプリッタを透過する第１成分と、角度αだけ偏向された第２成分とに分ける。
【００６５】
第１、第２および第３のビームスプリッタは、レーザ源から前へ離れて位置付けられている。第２および第３のビームスプリッタは、それぞれ、第１のビームスプリッタに対して、レーザビームの軸方向の周りに１２０°およびー１２０°回転されている。つまり、動作において、レーザ源はレーザビームを生成して、該レーザビームは、各ビームスプリッタを順番に通過する。このように、ビームは、３つの偏向された成分と１つの透過成分とからなる、４つの成分に分けられる。
【００６６】
動作において、画面に入射する偏向された成分は、３角形の頂点を形成する。入射する透過成分は、実質的に３角形の中心に位置する。各ビームスプリッタは、例えば顕微鏡のカバーグラスといった任意の適した材料から形成される。ビームスプリッタは、それぞれ、各ビームスプリッタの相対的な透過度および反射率、つまり偏向された成分および透過成分の相対的な強度、を制御するために、薄膜の光学干渉コーティングを備えていることが好ましい。代わりにまたは追加して、ポインタは、偏向された成分に対する透過成分の強度を減衰させるために、透過成分の動作経路に位置付けられた吸収フィルタを備えていても良い。
【００６７】
代わりに、回折スクリーンで、鏡組み立て部品を置き換えても良い。
【００６８】
そのように、動作において、透過成分の強度は、偏向された成分の強度と異なっている。従って、レーザビームの成分が画面に入射すると、透過成分は、偏向された成分と区別できる。
【００６９】
１例として、ビームスプリッタが顕微鏡のカバーグラスから形成されており、αが約１３°に設定されていると、透過と反射との関連比は約１：１である。従って、第３のビームスプリッタから現れる透過成分の強度は、第１のビームスプリッタにより偏向された第１の偏向された成分の強度の約２５％であり、第２のビームスプリッタにより偏向された第２の偏向された成分の強度の約５０％であり、第３のビームスプリッタにより偏向された第３の偏向された成分の強度と等しい。吸収フィルタは、透過成分の強度を更に減少させるので、該透過成分の強度は他の成分の強度よりも小さくなる。
【００７０】
ウインドウが、レーザビームの透過成分の動作経路におけるポインタの最後に位置づけられていても良い。このウインドウは、適切な寸法および構成を有しており、動作中の３つの全ての偏向された成分および透過成分が通過することを許容する。
【００７１】
レーザ源を用いることは、レーザビームが極めて狭い広がりを有しており、長い距離に亘って比較的高い強度を維持するので、離れた所からの機器の操作に対して特に好都合である。レーザ源およびビームスプリッタの正確な位置と配置は、要求に応じて変化するかもしれないことが認識されるであろう。例えば、離れた所からの遠隔操作が要求される時には、角度αは、特に鋭いのが良い。
【００７２】
多数のレーザビームを用いるポインタの３次元の位置および方向を決定するための動作は、円錐形のビームを有するポインタに対して上述した動作と同様である。
【００７３】
画面に入射する透過成分および偏向された成分間の距離は、それらの相対的な位置から決定される。つまり、Ｚ方向の距離はまた、従来の３角法により決定されることが可能である。
【００７４】
画面に入射する透過成分および偏向された成分間の相対距離は、入射する偏向された成分により形成される３角形と同等に示される。例えば、ポインタが、その透過成分が画面に垂直に保持される時に、偏向された成分により形成される３角形は、実質的に等辺である。透過成分が画面に垂直でない時は、形成される３角形は等辺でなく、成分間の距離は、これを反映する。従って、ポインタが画面に対して保持されている角度は、従来の３角法を用いて決定される。
【００７５】
ポインタが動く時に、１秒間に数回、ポインタの位置を繰り返し計算することは、ポインタの軌跡が記録されることを可能にする。ポインタの軌跡は、その後ユーザの意図を予想することを補助するためにか、または高度な制御ファンクションに対して用いられる。
【００７６】
ポインタの位置および角度はまた、ポインタと画面との間の物理的な接触なしに、ユーザが選択をした時を決定するために用いられる。例えば、簡単な傾ける動作が、選択を表すために用いることができる。
【００７７】
本発明は、ポインタの３次元の位置が決定される実施形態を参照して上述されたが、本発明は、２次元だけにまたは１次元においてさえも、ポインタの位置を決定するために等しく適用されることが認識されるだろう。
【００７８】
本発明は、特定の用途を参照して説明されたが、本発明が適用される多くの他の手段があることが認識されるだろう。多くの用途が、説明の目的のために述べられる。
【００７９】
本発明は、例えば、腹腔鏡検査、顕微鏡手術および内視鏡検査等のコンピュータ支援処置という、特に医療専門家における用途を有している。これらの場合において、光源は、手術用のメスの刃、または医者または外科医に対してより自然な手触りのための他の道具の形式で、ポインタのチップの中に組み込まれることができる。
【００８０】
遠隔医療において、本発明は該遠隔医療の検査または処置におけるカメラおよび医療装置の制御のために用いられる。
【００８１】
本発明はまた、教育目的の装置に組み込まれる。例えば、シミュレートする医療処置を許容するために、ＣＰＲ練習マネキン人形のようなコンピュータ制御のモデル台においてか、または他のコンピュータ制御のシミュレータを用いて実行することは、医学生の教育に特に利益がある。光源がチップ化された手術道具の形式のポインタは、シミュレーションをより効果的にして、その現実性を高めることができる。そのような使用はまた、医療教育における解剖用の死体の要求を低減する可能性がある。
【００８２】
本発明はまた、真空の宇宙または軍事環境のような、危険な環境にある装置の人間の操作に対して要求があるという用途において好都合である。そのような使用例には、無人装置の分かり易い制御、宇宙船または宇宙の装置における外での修理および調整が含まれる。そこで、船内における重さおよび装置制限を最小化して、１つの装置それぞれに対して分離したプログラミング・プリファレンスを備えた、１つのハードウェアシステムがプログラムされる。
【００８３】
本発明はまた、小さなスケールの研究、エンジニアリングおよびバイオテクノロジー、バイオロジー、半導体およびナノテクノロジーを含む製造において多くの用途を有している。オペレータが、裸眼では小さすぎて見えないアイテムを扱う仕事している時に、システムは、ポインタをコンピュータ制御の顕微鏡、例えば電子顕微鏡等、と統合するように工夫されることができる。そして、顕微鏡のリアルタイムの映像は、顕微鏡を制御し、ワークピースを案内、操作するために、ポインタと連動して用いられることができる。この用途において、光源がレーザであると、レーザは極めて正確に焦点が合わすことができるので、特に利点がある。
【００８４】
有益な機能性には、例えば、スタイラスまたは他の道具の形式で、１つのワイヤレスポインタにおける活動的な機能と連動する同時のズーム制御が含まれる。ポインタは、マイクロチップの設計またはウイルスもしくは遺伝子の調査のために顕微鏡の映像上に直接用いられる。
【００８５】
本発明はまた、卵細胞質内精子注入（ＩＣＳＩ）のような、受精処置の装置に組み込まれる。ＩＣＳＩにおいて、微視的にチップ化されたピペットは、１つの精子を選択して、卵子に注入するために用いられる。コンピュータ駆動で、光源がチップ化されたピペットの形式のポインタを保持するオペレータにより制御されるピペットを用いて、顕微鏡により生成された映像上で直接作業をすることは、明らかな利点を有する。同じ原理が、対外受精処置（ＩＶＦ）、結腸内視鏡および患者へのトラウマが最小限にされる必要がある他の侵入性生体検査の調査に適用される。
【００８６】
すべてのこれらの状況において、ポインタは進行中のワークと直接接触しないハンドヘルドの道具である。これは、補償内、補償外または好ましくない動きにより引き起こされるエラーの可能性および大きさを低減して、設定されるべき適切な選択および許容値を可能とする。
【００８７】
本発明の更なる用途には、テレビおよび他の娯楽装置の促進された制御に対するものがある。適切に構成されたポインタと組み合わせた電磁放射を感知する画面は、現在の遠隔制御システムと同様な方法で用いられることができるが、追加の機能強化を備えている。例えば、フレーム内のフレームの調節機能は、２番目のフレームの寸法を調整するために用いられる「クリックとドラッグ」で提供される。同様に、ビデオ・カセット・レコーダ（ＶＣＲ）、他の録画機器または統合メディアの直接の画面上のプログラミングに対して提供がなされる。
【００８８】
これらの用途における特別な利点は、よりユーザフレンドリーで真にインタラクティブな手続きを可能とする、ボタンのないメニュー操作の提供である。
【００８９】
次に、本発明の３つの別の実施形態を簡単な絵で表した説明図である図１、図２および図３が参照される。図１、図２および図３それぞれは、好ましくは概ね平面要素であるパネル１００を示す。パネル１００は、ディスプレイ画面の一部であることが好ましいが、一部である必要はない。例えば、パネル１００は、液晶、携帯電話またはＰＤＡのＶＧＡディスプレイ、タッチスクリーンまたはＣＲＴディスプレイにおける背面りん光体ガラスパネルの一部のような、固体のディスプレイを覆うプラスチック製の保護カバーでも良い。
【００９０】
パネル１００は、任意の適切な材料から形成されており、通常、プレキシグラス（登録商標）のような、ガラスまたはプラスチックの基材から形成されおり、硬い必要はない。代わりに、均等拡散面と接触した透明な非散乱性の要素が用いられても良い。パネル１００は、該パネルに衝突する電磁放射を、該パネルの端へ伝えることを好ましくは特徴とする。パネルは、該パネルの中を通る電磁放射が進んだ距離の関数として、該パネルの端へ該パネルの中を通る電磁放射を概ね減衰させる。
【００９１】
パネル１００の少なくとも１つの端に沿って、好ましくは全ての端に沿って、ＰＩＮフォトダイオードのような、多数の電磁エネルギー検知器１０２が備えられている。この検知器は、好ましくは間隔をあけて直線配列されており、ここでは全体に、パネル１００の端１１４，１１６，１１８、１２０それぞれに沿って配されており、符号１０４，１０６，１０８、１１０と示されている。端１１４，１１６，１１８、１２０の部分は、検知器１０２を除いて、個々の検知器１０２の視野を決定して狭めることを助けるために、覆われているかまたはコーティングされていても良い。
【００９２】
検知器１０２は、各検知器が約８度の角度領域の範囲を有する視野を持つように、および必要ならば、角度領域の範囲間のオーバラップを低減するために、各検知器の角度領域の範囲の一部がマスクされることができるように選択されることが好ましい。検知器１０２は、パネル１００の全体の領域が少なくとも１つの検知器１０２の視野により概ねカバーされるように間隔があけられて配置されていることが好ましい。２，３の検知器１０２の視野が、一点鎖線で描かれており、符号１２２と示されている。
【００９３】
パネル１００により提供される、距離に依存した電磁放射の減衰のおかげで、多数の端に沿った検知器の出力の相対的な振幅は、光のビームのパネル１００に衝突する位置の出力指示を提供するために用いることができる。検知器の出力の振幅はまた、ビームの強度と同様に、パネルに衝突する電磁放射のビームの領域を指示するために用いられることができる。
【００９４】
検知器１０２の各出力は、検知器出力多重化回路により多重化されることが好ましい。ある用途においては、検知器１０２は、パネルそれぞれの端に沿って備えられている必要はないが、検知器１０２がパネルの２つの概ね直交する端に沿って備えられていれば十分であることが認識される。しかしながら、機器の信号ーノイズ性能を最大にするために、パネルの全ての端に沿って、検知器１０２が備えられていることが好ましい。
【００９５】
光ペンまたは他の適切な電磁放射送信器が、パネル１００に衝突する電磁放射のビームを生成するために用いられる。以下に述べるように、光ペンの位置およびパネルに対して生成された電磁放射のビームの角度方向は、検知器の出力から決定することができる。
【００９６】
光ペンの位置は、パネル１００の面と、光ペンのチップが位置付けられている、パネル１００の面と平行な面、との間のパネル１００の面に垂直な線に沿ったＺ-距離として表される。光ペンの位置はまた、光ペンのチップと、パネル１００上の電磁放射ビームの衝突位置の中心との間の、ポイント・トウ・ポイント距離として表される。
【００９７】
図１において、パネル１００に衝突してその上に衝突スポット１５４を定める、概ね円錐形のビーム１５２を送信する光ペン１５０が示されている。図１に示すように、電磁放射ビーム１５２は、概ね平面要素１５８に対して９０度でない角度をなすビーム軸１５６を有している。衝突スポット１５４は、概ね楕円を形成する。この楕円の長軸と短軸とは、ビーム軸１５６と概ね平面要素１５８との交差点で交差する。ビーム軸１５６が概ね平面要素１５８に９０度の角度で配されていれば、衝突スポット１５４は、楕円が縮退したケースである円形状を有し、この円の中心は、ビーム軸１５６と概ね平面要素１５８との交差点に位置するだろう。
【００９８】
少なくとも２つの直交する端１１４，１１６上の検知器１０２の出力が、および好ましくは直交する端１１４，１１６，１１８，１２０それぞれに沿った検知器配列１０４，１０６，１０８，１１０の出力が、衝突スポット１５４の位置、方向、形状および寸法についての情報をもたらすことが、本発明の他ならぬ特徴である。
【００９９】
図８を参照して以下に述べるように、本発明の処理回路は、パネルの端それぞれに沿って位置する検知器の結合した出力を提供することが好ましい。これらの出力は、電磁放射送信器１５０により生成された電磁放射のビーム１５２の衝突により生じた、パネル１００上の衝突スポット１５４の位置、方向、形状および寸法に関する情報を提供するために用いることができる。
【０１００】
検知器１０２の出力は、異なる位置、方向、形状および寸法を有する衝突スポット間を識別するための情報を提供することが認識される。例えば、図１における衝突スポット１５４と衝突スポット１８２とを比較した時に、スポットの寸法の変化は、幅およびピーク強度の変化のような、検知器１０２の結合した出力において対応した変化を生成することが認識される。他の例として、図１における衝突スポット１５４と衝突スポット１８４とを比較した時に、スポットの位置のみの変化は、ピークの中心の位置の変化、およびパネル１００の反対の端に位置する検知器により感知される相対強度における変化のような、検知器１０２の結合した出力において対応した変化を生成することが認識される。
【０１０１】
更に他の例として、図１における衝突スポット１５４と衝突スポット１８６とを比較した時に、スポットの形状の変化は、相対的な幅および強度の変化のような、検知器１０２の結合した出力において対応した変化を生成することが認識される。更にまた他の例として、図１における衝突スポット１５４と衝突スポット１８８とを比較した時に、スポットの方向の変化は、相対的な幅およびピーク強度、およびパネル１００の反対の端に位置する検知器により感知される対称性における変化のような、検知器１０２の結合した出力において対応した変化を生成することが認識される。
【０１０２】
楕円の異なる側での電磁放射の異なる強度は、ビーム１５２の角度方向の指標となり、ビームがパネル１００に向けられた角度を計算するために用いられることが認識される。
【０１０３】
衝突スポットの位置、方向、形状および寸法における変化は、光ペン１５０の３次元の方向および３次元の位置における変化に対応することが認識される。これは、なかんずく、楕円の長軸および短軸の長さの比が、面と円錐との交差の角度に一意的であり、そのような各角度に対して、楕円の寸法が、円錐の頂点と面との間の距離に関係しているという事実による。
【０１０４】
図２において、互いに平行でないレーザビームのような、多数の概ね平行なビーム２５０，２５１，２５２，２５３を送信する光ペン２４０が示されている。この概ね平行なビームは、パネル１００に衝突して該パネル上に衝突パターン２５４を定める。図２に示すように、光のビーム２５０，２５１，２５２，２５３は、概ね平面要素２５８に対して非垂直に向けられている。衝突パターン２５４は、３角形の頂点および中心を定めており、３角形の中心は、概ね平面要素２５８上に、ビーム２５０の衝突により定められている。ビーム２５０が概ね平面要素２５８に９０度の角度で配されていれば、衝突パターン２５４は、等辺３角形の形状を定めるだろう。
【０１０５】
少なくとも２つの直交する端１１４，１１６上の検知器１０２の出力が、および好ましくは直交する端１１４，１１６，１１８，１２０それぞれに沿った検知器配列１０４，１０６，１０８，１１０の出力が、衝突パターン２５４により定められる３角形の位置、方向、形状および寸法についての情報をもたらすことが、本発明の他ならぬ特徴である。
【０１０６】
検知器１０２の出力が、異なる位置、方向、形状および寸法を有する衝突パターン間を識別するための情報を提供することが認識される。衝突パターンの位置、方向、形状および寸法の１つまたはそれ以上の変化は、分布および構成の変化のような、検知器１０２の結合した出力において対応した変化を生成することが認識される。
【０１０７】
衝突パターンの位置、方向、形状および寸法における変化は、光ペン２４０の３次元の方向および３次元の位置における変化に対応することが認識される。これは、なかんずく、３角形の頂点の幾何学的関係が、平行ビームとパネル２００との交差の角度と関連があるという事実による。３角形の寸法は、電磁放射の送信点とパネルの面との間の距離に関係している。
【０１０８】
図３において、パネル１００に衝突してその上に衝突スポット３５４を定める、非対称で、概ね３角形でピラミッドの形状のビーム３５２を送信する光ペン３５０が示されている。図３に示すように、光ビーム３５２は、概ね平面要素３５８に対して９０度でない角度をなすビーム軸３５６を有している。衝突スポット３５４は、３角形である。この３角形の中心は、ビーム軸３５６と概ね平面要素３５８との交差点に位置する。ビーム軸３５６が概ね平面要素３５８に９０度の角度で配されていれば、衝突スポット３５４は、所定の望ましい３角形の形状を有し、この３角形の中心は、ビーム軸３５６と概ね平面要素３５８との交差点に位置するだろう。
【０１０９】
少なくとも２つの直交する端１１４，１１６上の検知器１０２の出力が、および好ましくは直交する端１１４，１１６，１１８，１２０それぞれに沿った検知器配列１０４，１０６，１０８，１１０の出力が、衝突スポット３５４の位置、方向、形状および寸法についての情報をもたらすことが、本発明の他ならぬ特徴である。
【０１１０】
検知器１０２の出力は、異なる位置、方向、形状および寸法を有する衝突スポット間を識別するための情報を提供することが認識される。非対称の性質を有するビームは、電磁放射送信器の角度方向における変化の検出能を更に高めるために用いられることが認識される。
【０１１１】
次に、携帯電話で実現されたおよび携帯電話に関連した本発明の一実施形態の動作を説明する図４Ａ、図４Ｂおよび図４Ｃを参照する。図示した実施形態においては、概ね円錐形のビームを備えた光ペン５００が用いられているが、任意の他の適切なビーム構成が用いられても良いことが認識される。図４Ａ−図４Ｃは、本発明のユーザインターフェースが、ディスプレイパネル５０２上の衝突スポット５０６の寸法を感知することによって、携帯電話５０４のディスプレイパネル５０２から光ペン５００の距離に敏感であることを示す。この衝突スポット５０６の寸法は、距離に直接関係する。
【０１１２】
図４Ａは、ディスプレイパネル５０２から比較的遠くに保持されており、アプリケーションアイコン５０８上に位置付けられている比較的大きな衝突スポット５０６を与えている光ペン５００を示しており、このアイコンが強調されていることが好ましい。図４Ｂは、ディスプレイパネル５０２の近くに移動しており、アイコン５０８上に位置付けられている相対的により小さな衝突スポット５０６を与えている光ペン５００を示している。図４Ｂにおいて、このアイコンはズームイン機能を備えていることが好ましく、強調されたアイコン５０８が大きくなっている。図４Ｃは、ディスプレイパネル５０２の更に近くに移動しており、アイコン５０８上に位置付けられている更に小さな衝突スポット５０６を与えている光ペン５００を示しており、強調されたアイコン５０８によりアプリケーションの選択が示されており、アプリケーションの操作に対するメニュー５１０が表示されている。
【０１１３】
次に、携帯情報端末のような、ハンドヘルドコンピュータ機器で実現されたおよび該機器に関連した本発明の一実施形態の動作を説明する図５Ａ、図５Ｂおよび図５Ｃを参照する。図示した実施形態においては、概ね円錐形のビームを備えた光ペンまたは電磁放射ビーム送信器５２０が用いられているが、任意の他の適切なビーム構成が用いられることが認識される。図５Ａ−図５Ｃは、本発明のユーザインターフェースが、ディスプレイパネル５２２からの光ペン５２０の距離と同様に、携帯情報端末５２４のディスプレイパネル５２２上において、光ペン５２０により生成された電磁光ビームの衝突位置に敏感であることを示す。衝突スポット５２６の寸法は、この距離に直接関係しており、この距離は、衝突スポット５２６の寸法を感知することにより決定される。
【０１１４】
図５Ａは、ディスプレイパネル５２２から比較的遠くに保持されており、ピクチャサムネイル５２８上に位置付けられている比較的大きな衝突スポット５２６を与えている光ペン５２０を示しており、そのサムネイルで中程度のズームイン機能が動作をしていることが好ましい。図５Ｂは、ディスプレイパネル５２２上で異なるサムネイル５３０に移動した光ペン５２０を示しており、このサムネイル５３０で中程度のズームイン機能を備えていることが好ましい。図５Ｃは、ディスプレイパネル５２２のより近くに移動しており、サムネイル５３０上に位置付けられているより小さな衝突スポット５２６を与えている光ペン５２０を示しており、このサムネイル５３０で最大のズームイン機能を備えている。
【０１１５】
次に、入力タブレットのような、コンピュータ入力機器で実現されたおよび該機器に関連した本発明の一実施形態の動作を説明する図６Ａ、図６Ｂおよび図６Ｃを参照する。図示した実施形態においては、概ね円錐形のビームを備えた光ペンまたは電磁放射ビーム送信器が用いられているが、任意の他の適切なビーム構成が用いられることが認識される。図６Ａ−図６Ｃは、本発明のユーザインターフェースが、コンピュータ５４６と関連して、入力タブレット５４４のパネル５４２上において、光ペン５４０により生成された電磁光ビーム５３８の角度方向に敏感であることを示す。角度方向は、パネル５４２上の衝突スポット５４６の離心率を感知することにより決定され、この離心率はビーム５３８の角度方向に直接関係している。
【０１１６】
図６Ａは、パネル５４２に対して、第１の３次元角度方向に保持されている光ペン５４０を示しており、第１の３次元方向における円筒のような物体５４８を表示していることが好ましい。図６Ｂは、パネル５４２に対して、第２の３次元角度方向へ移動した光ペン５４０を示しており、第２の３次元方向における物体５４８を表示していることが好ましい。この物体は、光ペン５４０の第１および第２の３次元角度方向間の角度差と等価な量か、さもなければ関連する量だけ、第１の３次元方向に対して回転されていることが好ましい。
【０１１７】
図６Ｃは、パネル５４２に対して、第３の３次元角度方向へ移動した光ペン５４０を示しており、第３の３次元方向における物体５４８を表示していることが好ましい。この物体は、光ペン５４０の第２および第３の３次元角度方向間の角度差と等価な量か、さもなければ関連する量だけ、第２の３次元方向に対して回転されていることが好ましい。
【０１１８】
次に、相応に装備したテレビのような、インタラクティブなディスプレイ機器で実現されたおよび該機器に関連した本発明の一実施形態の動作を説明する図７Ａ、図７Ｂおよび図７Ｃを参照する。図示した実施形態においては、概ね円錐形のビームを備えた赤外線送信遠隔制御機器または他の適切な電磁放射ビーム送信器が用いられているが、任意の他の適切なビーム構成が用いられることが認識される。図７Ａ−図７Ｃは、本発明のインターフェースが、テレビ画面５６４により定められるパネル５６２上において、赤外線送信遠隔制御機器５６０により生成された電磁放射ビーム５５８の角度方向に敏感であることを示す。角度方向は、パネル５６２上の衝突スポット５６６の離心率を感知することにより決定され、この離心率はビーム５５８の角度方向に直接関係している。
【０１１９】
図７Ａは、パネル５６２に対して、第１の３次元角度方向に保持されている赤外線送信遠隔制御機器５６０を示しており、第１の３次元方向における銃のような物体５６８を狙っていることが好ましい。図７Ｂは、パネル５６２に対して、第２の３次元角度方向へ移動した赤外線送信遠隔制御機器５６０を示しており、第２の３次元方向における銃５６８を狙っていることが好ましい。この銃は、赤外線送信遠隔制御機器５６０の第１および第２の３次元角度方向間の角度差と等価な量か、さもなければ関連する量だけ、第１の３次元方向に対して回転されていることが好ましい。
【０１２０】
図７Ｃは、パネル５６２に対して、第３の３次元角度方向へ移動した赤外線送信遠隔制御機器５６０を示しており、第３の３次元方向における物体５６８を表示していることが好ましい。この物体は、赤外線送信遠隔制御機器５６０の第２および第３の３次元角度方向間の角度差と等価な量か、さもなければ関連する量だけ、第２の３次元方向に対して回転されていることが好ましい。
【０１２１】
上述の図示された機能性は、本発明により可能とされる実行できる用途の単なる例である。これらおよび他の用途は、任意の与えられた機器または方法において、必要に応じて、単独または任意の組み合わせで用いられる。
【０１２２】
次に、本発明の好ましい一実施形態に従って、図１−３の電磁放射の受信および感知装置に関連した情報抽出回路を部分ダイアグラム的に説明する部分ブロックダイアグラムである図８を参照する。図８に示されるように、検知器６０２からの出力は、ここでマルチプレクサ６０４として示されている、１つまたはそれ以上のマルチプレクサにおいて多重化される。このマルチプレクサは、比較的高いレート、通常約１０ｋＨｚ、でセンサの出力をサンプリングするように作動する。マルチプレクサ６０４の出力は、好ましくはバンドパスフィルタ６０６を経由して、積分器６０８へ供給されることが好ましい。この積分器の出力は、マイクロプロセッサ６１０へ供給される。マイクロプロセッサ６１０は、パネル６１４の各端６１２に沿った検知器の出力を表している結合した出力、を提供するようにプログラムされている。
【０１２３】
マイクロプロセッサ６１０の出力は、マイクロプロセッサ６１６へ供給されることが好ましい。このマイクロプロセッサ６１６は、電磁放射送信器６２２により生成された電磁放射のビーム６２０の衝突により生成したパネル６１４上の衝突スポット６１８の位置、方向、形状および寸法を表す出力を提供する。マイクロプロセッサ６１６の出力は、追加のマイクロプロセッサ６２４へ供給されることが好ましい。このマイクロプロセッサ６２４は、電磁放射送信器６２２の距離および角度方向をリアルタイムで表す出力を提供する。代わりに、１つまたはそれ以上の上述したマイクロプロセッサの機能が、必要に応じて、結合されるかまたは分割されても良い。
【０１２４】
本発明は、上記のように特に示され、述べられたものに制限されるものではないことが、当技術に熟達した者により認識されるだろう。むしろ、本発明の範囲は、上述した様々な特徴の改良および変形と同様に、上記説明を読んだ当技術の通常の技術を有する者が気が付き且つ先行技術にはないところの、上述した様々な特徴のコンビネーションおよびサブコンビネーションの両方を含む。
【図面の簡単な説明】
【０１２５】
【図１】図１は、本発明の一実施形態を簡単な絵で表した説明図である。
【図２】図２は、本発明の他の実施形態を簡単な絵で表した説明図である。
【図３】図３は、本発明の更に他の実施形態を簡単な絵で表した説明図である。
【図４Ａ】図４Ａは、携帯電話で実現されたおよび携帯電話に関連した本発明の一実施形態の動作を簡単な絵で表した説明図である。
【図４Ｂ】図４Ｂは、携帯電話で実現されたおよび携帯電話に関連した本発明の他の実施形態の動作を簡単な絵で表した説明図である。
【図４Ｃ】図４Ｃは、携帯電話で実現されたおよび携帯電話に関連した本発明の更に他の実施形態の動作を簡単な絵で表した説明図である。
【図５Ａ】図５Ａは、携帯情報端末で実現されたおよび携帯情報端末に関連した本発明の一実施形態の動作を簡単な絵で表した説明図である。
【図５Ｂ】図５Ｂは、携帯情報端末で実現されたおよび携帯情報端末に関連した本発明の他の実施形態の動作を簡単な絵で表した説明図である。
【図５Ｃ】図５Ｃは、携帯情報端末で実現されたおよび携帯情報端末に関連した本発明の更に他の実施形態の動作を簡単な絵で表した説明図である。
【図６Ａ】図６Ａは、入力ダブレットで実現されたおよび入力ダブレットに関連した本発明の一実施形態の動作を簡単な絵で表した説明図である。
【図６Ｂ】図６Ｂは、入力ダブレットで実現されたおよび入力ダブレットに関連した本発明の他の実施形態の動作を簡単な絵で表した説明図である。
【図６Ｃ】図６Ｃは、入力ダブレットで実現されたおよび入力ダブレットに関連した本発明の更に他の実施形態の動作を簡単な絵で表した説明図である。
【図７Ａ】図７Ａは、テレビで実現されたおよびテレビに関連した本発明の一実施形態の動作を簡単な絵で表した説明図である。
【図７Ｂ】図７Ｂは、テレビで実現されたおよびテレビに関連した本発明の他の実施形態の動作を簡単な絵で表した説明図である。
【図７Ｃ】図７Ｃは、テレビで実現されたおよびテレビに関連した本発明の更に他の実施形態の動作を簡単な絵で表した説明図である。
【図８】図８は、本発明の好ましい実施形態に従う図１から図３の光ペンおよび光を受信または感知する装置に関連した情報抽出回路を部分ダイアグラム的に説明する部分ブロックダイアグラムである。
【図１】
2007531146.tif 000003
【図２】
2007531146.tif 000004
【図３】
2007531146.tif 000005
【図４Ａ】
2007531146.tif 000006
【図４Ｂ】
2007531146.tif 000007
【図４Ｃ】
2007531146.tif 000008
【図５Ａ】
2007531146.tif 000009
【図５Ｂ】
2007531146.tif 000010
【図５Ｃ】
2007531146.tif 000011
【図６Ａ】
2007531146.tif 000012
【図６Ｂ】
2007531146.tif 000013
【図６Ｃ】
2007531146.tif 000014
【図７Ａ】
2007531146.tif 000015
【図７Ｂ】
2007531146.tif 000016
【図７Ｃ】
2007531146.tif 000017
【図８】
2007531146.tif 000018
【国際調査報告】
2007531146.tif 000019